(57)【要約】      （修正有）【課題】着用者の乳房を安定的に一定の位置に保持して、激しいスポーツ等を行った場合でも乳房の大きな揺れを可及的に抑止でき、また、洗濯時の際にバストパッドが脱落することがなく、着用者の乳房の大小にそれほど左右されることなく、広い範囲で適用することができるブラジャーを提供する。【解決手段】着用者の左右の乳房を含む胸部を被覆する胸部被覆部２と、胸部被覆部２の左右両側端から着用者の背面に延びる背面部と、胸部被覆部２と背面部とを相互に連結する、着用者の左右の肩に掛けられる肩部４ａとを有し、胸部被覆部２の裏面側に、着用者の左右の乳房の少なくとも一部をそれぞれ覆う一対のバストパッド５，５が配設されていて、これらのバストパッド５，５における上方側に位置する縁部分５ｂのみが胸部被覆部２にそれぞれ固定されている構成とする。【選択図】図３
0003186389.tif 000002
【実用新案登録請求の範囲】
【請求項１】
着用者の左右の乳房を含む胸部を被覆する胸部被覆部と、前記胸部被覆部の左右両側端から着用者の背面に延びる背面部と、前記胸部被覆部と前記背面部とを相互に連結する、着用者の左右の肩に掛けられる肩部とを有し、
前記胸部被覆部の裏面側に、着用者の左右の乳房の少なくとも一部をそれぞれ覆う一対のバストパッドが配設されていて、これらのバストパッドにおける上方側に位置する縁部分のみが前記胸部被覆部にそれぞれ固定されているブラジャー。
【請求項２】
前記胸部被覆部は、外方に露出する表布部材と、前記表布部材の裏面側に配設された裏布部材とを有していて、前記バストパッドは前記裏布部材に固定されている、請求項１に記載のブラジャー。
【請求項３】
前記胸部被覆部の裏布部材は、着用者の左右の乳房に対応する位置にそれぞれ設けられて、内部に前記バストパッドがそれぞれ収容される中空状の一対の収容部を備えていて、前記バストパッドは、前記収容部内に収容された状態で、上方側に位置する縁部分がその収容部の内周面に固定されている、請求項２に記載のブラジャー。
【請求項４】
前記一対の収容部は、表布部材側に位置する第１布片と、着用者側に位置する第２布片とを備えていると共に、前記バストパッドは、これらの第１布片と第２布片との間の中空状の空間内に収容されていて、上方側に位置する縁部分が前記２布片に固定されている、請求項３に記載のブラジャー。
【請求項５】
前記バストパッドは、上方側に位置する縁部分が上方に凸となるように湾曲していると共に、下方側に位置する縁部分が下方に凸となるように湾曲した形状に形成されている、請求項１〜４のいずれか１項に記載のブラジャー。
【請求項６】
前記バストパッドは、上方側に位置する縁部分が、前記上方側に位置する縁部分に沿って、前記胸部被覆部に縫い付けられている、請求項１〜５のいずれか１項に記載のブラジャー。
【請求項７】
前記ブラジャーはスポーツ用ブラジャーである、請求項１〜６のいずれか１項に記載のブラジャー。
【考案の詳細な説明】
【技術分野】
【０００１】
本考案は、ブラジャーに関するものであり、特にスポーツやフィットネスなどの運動を行う際に着用するのに適したブラジャーに関する。
【背景技術】
【０００２】
従来より、着用者の左右の乳房を被覆する胸部被覆部にバストパッドが取付けられたブラジャーは広く知られており、このバストパッドによって乳房を保護したり、あるいは乳房の形を整えたりしている。
また、女性が例えば歩いたり走ったりといった運動をする場合には、乳房が上下左右に揺れるため、バストパッドには、そのような乳房の揺れを極力抑えて胸の痛みを軽減するという役目もある。特に、スポーツやフィットネスなどの運動を行う際には、激しい動きによって乳房が大きく揺れるため、胸の痛みを伴うだけでなく、場合によっては乳房を支えるクーパー靭帯が損傷することもある。クーパー靭帯が損傷すると乳房の下垂の原因となるため、激しい動きを伴う運動を行う場合においては、バストパッドによって乳房を一定の位置に保持させて、乳房の揺れを可及的に抑えることが肝要となる。
【０００３】
前記胸部被覆部にバストパッドが取付けられたブラジャーとしては、例えば特許文献１に示すように、胸部被覆部の裏面側に袋状の部材を設け、この袋状部材内にバストパッドを挿入することにより、そのバストパッドを胸部被覆部に着脱自在に取付けることができる構成のものが知られている。
しかしながら、この特許文献１のブラジャーの場合、前記バストパッドは袋状部材内を比較的容易に移動することが可能であるため、乳房が上下左右に揺れた場合には、袋状部材内のバストパッドが乳房に押されて、そのバストパッドが乳房の位置からずれてしまったり、袋状部材内において下方側に移動して折れ曲がったりする可能性がある。そうすると、激しい運動を伴う場合においては乳房を一定の位置に保持させることが困難となるため、乳房の大きな揺れを安定的且つ確実に抑えることができず、乳房への負担が大きくなるという問題があった。
しかも、バストパッドが胸部被覆部に着脱自在であると、ブラジャーを洗濯した場合に、バストパッドが袋状部材から抜け落ちてしまうことがあるため、洗濯の度にバストパッドを袋状部材に挿入しなおす必要があり、非常に面倒であった。
【０００４】
また、特許文献２に示すように、胸部被覆部の裏面側にバストパッドの上下左右の縁部分を縫い付けた構成のブラジャーも存在する。
しかしながら、この特許文献２のブラジャーの場合、胸部被覆部の裏面に対して、バストパッドの自由度がほとんどないため、バストパッドが着用者の乳房の大きさに適合していなければ、乳房の一定位置での保持が困難となる。したがって、着用者の乳房の大きさの大小に対して適用できる範囲が狭く、着用者の乳房の大きさに応じたバストパッドを備えたブラジャーを用意しなければならないという欠点があった。
【先行技術文献】
【特許文献】
【０００５】
【特許文献１】特開平９−２９６３０８号公報
【特許文献２】実用新案登録第３０４７８５０号公報
【考案の概要】
【考案が解決しようとする課題】
【０００６】
本考案の技術的課題は、着用者の乳房を安定的に一定の位置に保持して、激しいスポーツやフィットネスなどの運動を行った場合であっても乳房の大きな揺れを可及的に抑止することができ、また、洗濯時においてバストパッドが脱落することがないブラジャーを提供することにある。
さらに、本考案の他の技術的課題は、着用者の乳房の大小にそれほど左右されることなく、広い範囲で適用することができるブラジャーを提供することにある。
【課題を解決するための手段】
【０００７】
前記課題を解決するため、本考案のブラジャーは、着用者の左右の乳房を含む胸部を被覆する胸部被覆部と、前記胸部被覆部の左右両側端から着用者の背面に延びる背面部と、前記胸部被覆部と前記背面部とを相互に連結する、着用者の左右の肩に掛けられる肩部とを有し、前記胸部被覆部の裏面側に、着用者の左右の乳房の少なくとも一部をそれぞれ覆う一対のバストパッドが配設されていて、これらのバストパッドにおける上方側に位置する縁部分のみが前記胸部被覆部にそれぞれ固定されているものである。
【０００８】
本考案においては、前記胸部被覆部は、外方に露出する表布部材と、前記表布部材の裏面側に配設された裏布部材とを有していて、前記バストパッドは前記裏布部材に固定されているものとすることができる。
この場合、前記胸部被覆部の裏布部材は、着用者の左右の乳房に対応する位置にそれぞれ設けられて、内部に前記バストッドがそれぞれ収容される中空状の一対の収容部を備えていて、前記バストパッドは、前記収容部内に収容された状態で、上方側に位置する縁部分がその収容部の内周面に固定されているものとすることが好ましい。
さらに、前記一対の収容部は、表布部材側に位置する第１布片と、着用者側に位置する第２布片とを備えていると共に、前記バストパッドは、これらの第１布片と第２布片との間の中空状の空間内に収容されていて、上方側に位置する縁部分が前記２布片に固定されているものとすることができる。
【０００９】
また、本考案においては、前記バストパッドは、上方側に位置する縁部分が上方に凸となるように湾曲していると共に、下方側に位置する縁部分が下方に凸となるように湾曲した形状に形成されているものとすることができる。
さらに、本考案においては、前記バストパッドは、上方側に位置する縁部分が、前記上方側に位置する縁部分に沿って、前記胸部被覆部に縫い付けられているものとすることができる。
本考案における具体的な構成態様によれば、前記ブラジャーはスポーツ用ブラジャーである。
【考案の効果】
【００１０】
本考案によれば、前記胸部被覆部の裏面側に配設されている一対のバストパッドが、各バストパッドにおける上方側に位置する縁部分のみを前記胸部被覆部に固定させた構成となっているため、着用者が激しい運動をしてもバストパッドの位置が、着用者の乳房の位置から大きくずれたり、下方側に移動して折れ曲がったりすることがない。したがって、着用者の乳房を安定的に一定の位置に保持することができるため、運動時における着用者の乳房の大きな揺れを安定的に抑止することができる。
また、各バストパッドは、前記胸部被覆部に固定させているため、ブラジャーを洗濯したとしても、ブラジャーから脱落することがない。
さらに、各バストパッドは、上方側に位置する縁部分のみが前記胸部被覆部に固定されているため、胸部被覆部に対してある程度の範囲で移動することが可能であり、これにより、着用者の乳房の大小に対応してバストパッドが移動して乳房にフィットすることができることから、適用することができる着用者の乳房の大きさの範囲を広く確保することできる。
【図面の簡単な説明】
【００１１】
【図１】本考案に係るブラジャーの一実施の形態を模式的に示す正面図である。
【図２】同背面図である。
【図３】本考案に係るブラジャーの胸部被覆部の裏面側を模式的に示す拡大図である。
【図４】本考案に係るブラジャーの胸部被覆部を模式的に示す端面図である。
【考案を実施するための形態】
【００１２】
図１〜図４は、本考案に係るブラジャーの一実施の形態を示すもので、この実施の形態のブラジャー１は、着用者の左右の乳房を含む胸部を被覆する胸部被覆部２と、前記胸部被覆部２の左右両側端から着用者の背面に延びる背面部３と、これらの胸部被覆部２と背面部３とを連結する、着用者の左右の肩に掛けられる肩部４とを備えている。
また、前記胸部被覆部２の裏面側には、着用者の左右の乳房の少なくとも一部をそれぞれ覆う左右一対のバストパッド５，５がそれぞれ配設されている。
なお、この実施の形態のブラジャー１は、女性がスポーツやフィットネスなどの運動を行う際に着用する、いわゆるスポーツブラ（スポーツ用ブラジャー）としての形態となっている。
【００１３】
前記胸部被覆部２は、ブラジャー１の前身頃における表面側に位置し、外方側に露出する表布部材１１と、前記表布部材１１の裏面側に配設された裏布部材１２とを有している。
前記表布部材１１は、伸縮性に優れ、且つ着用者の動きに応じて体に適度にフィットする素材により形成されていて、着用者の胸部全体を覆う形状となっている。また、この表布部材１１における下端部には、前記背面部３にまで延びるゴム等の伸縮自在の弾性部材１３が配設されていて、ブラジャー１の下端部全体を着用者の体に弾性的に圧着させることができるようになっている。
【００１４】
前記裏布部材１２は、着用者の左右の乳房に対応する位置にそれぞれ設けられて、内部に前記バストパッド５，５がそれぞれ収容される、左右一対の中空状の一対の収容部１６，１６と、これらの一対の収容部１６，１６の下端側を前記表布部材１１の裏面側の下端側に連結させる連結部１７，１７とを備えていて、周縁部分が表布部材１１に縫い付けられている。
前記一対の収容部１６，１６は、それぞれ、前記表布部材１１側に設けられた第１布片１８と、着用者の肌に接する第２布片１９とを有していて、第１布片１８と第２布片１９との各周縁部分が縫合等によって相互に連結されることにより、これらの第１布片１８と第２布片１９との間に中空状の内部空間２０が形成された構成となっている。そして、各収容部１６，１６の内部空間２０内に前記バストパッド５，５がそれぞれ収容された状態となっている。
なお、前記一対の収容部１６，１６の第１布片１８及び第２布片１９は、いずれも伸縮性に優れ、且つ着用者の動きに応じて体に適度にフィットする素材によりそれぞれ形成されている。
また、これらの一対の収容部１６，１６の上端側の一部は、前記肩部４まで延びていて、その肩部４の前身頃部分における裏面側の一部を構成している。さらに、これらの一対の収容部１６，１６は、前記胸部被覆部２の裏面側の略中央の位置において、各収容部１６，１６における対向する周縁部分が相互に連結されていて、これらの収容部１６，１６が離れないようにしている。
【００１５】
一方、裏布部材１２の前記連結部１７，１７は、前記各収容部１６，１６の下端側の周縁部分と表布部材１１の裏面側の下端側近傍との間にそれぞれ設けられている。より具体的には、前記連結部１７，１７は、図３に示すように、上端側が、各収容部１６，１６の下端側及び表布部材１１における脇下側に位置する部分の上端縁に固定されていると共に、下端側が表布部材１１の下端縁の近傍に固定されている。
これらの連結部１７，１７は、前記収容部１６，１６の第１布片１８及び第２布片１９や、表布部材１１に比べて伸縮しにくい柔軟な素材により形成されていて、この連結部１７，１７によって着用者の脇の筋肉を適度に押さえられるようになっている。これにより、ブラジャー１全体が着用者の体に安定的に保持されるようにしている。
【００１６】
前記背面部３は、前記胸部被覆部２の両端部を連結する帯状のもので、伸縮性や通気性に優れ、着用者の体に適度にフィットする柔軟な素材により形成されている。
また、前記肩部４は、前記胸部被覆部２の上端部から着用者の肩を介して前記背面部３に至るもので、この実施の形態においては、図２に示すように、胸部被覆部２の上端側から延びる帯状の左右一対の肩ベルト４ａ，４ａが背面側で一体化して、後見頃において略Ｙ字状となるような形態となっている。
【００１７】
また、前記バストパッド５，５は、いずれも、ウレタンフォーム等の弾力のある素材により形成された、正面側に膨出した碗型のもので、正面視において、上方側に位置する縁部分５ａが上方に凸となるように湾曲している。また、下方側に位置する縁部分５ｂが下方に凸となるように湾曲した形状となっていて、ブラジャーの着用者の乳房の少なくとも下半側を覆うことができるようになっている。
なお、この考案において、バストパッドの上方側に位置する縁部分とは、胸部被覆部への取付位置において、端面が略上方向き（斜め上方を含む）である縁部分を意味する。また、バストパッドにおける下方側に位置する縁部分とは、胸部被覆部への取付位置において、端面が略下方向き（斜め下方を含む）である縁部分を意味する。
【００１８】
この実施の形態においては、図３に示すように、前記バストパッド５，５は、上方側に位置する縁部分５ａと下方側に位置する縁部分５ｂとの曲率が異なっていて、上方側に位置する縁部分５ａに比べて下方側に位置する縁部分５ｂの曲率が大きくなっている。さらに、ブラジャー１の中央側から側部方向に行くに従って、上方側に位置する縁部分５ａが次第に上方に向かって曲線状に傾斜する形状となっている。したがって、上方側に位置する縁部分５ａは緩やかに湾曲して乳房の上方側にフィットする一方で、下方側に位置する縁部分５ｂは乳房の下方側にフィットしてその乳房の下方側全体を包み込むように保持する形態となっている。
なお、左側の収容部に収容させるバストパッド５と、右側の収容部に収容させるバストパッド５とは、相互に左右対称の形状となっている。
【００１９】
ところで、前記バストパッド５，５は、前記胸部被覆部２における裏布部材１２の収容部１６，１６内に収容された状態において、上方側に位置する縁部分５ａのみが収容部１６の内周面に固定されていて、これにより、各バストパッド５，５は、下方側に位置する縁部分５ｂ側が自由な状態で胸部被覆部２に固定された状態となっている。
この実施の形態においては、図２及び図３に示すように、各バストパッド５，５は、このバストパッド５の上方側に位置する縁部分５ａの湾曲に沿って、その上方側に位置する縁部分５ａの近傍の部分と、前記収容部１６の第２布片１９とが縫い合わされていて、実質的に、上方側に位置する縁部分５ａが胸部被覆部２に固定された状態となっている。これにより各バストパッド５，５は、着用者の乳房と当接する第２布片１９と同期して動いたり変形したりすることが可能となっている。
【００２０】
このように、前記各バストパッド５，５における上方側に位置する縁部分５ａのみを前記胸部被覆部２にそれぞれ固定し、各バストパッド５，５の下方側に位置する縁部分５ｂ側を自由な状態とした主な理由は、バストパッド５，５によって着用者の乳房を安定的に一定の位置に保持して、乳房の大きな揺れを効果的に抑止するためである。
他の理由は、着用者の乳房の大小に対応してバストパッド５，５を乳房にフィットさせることを可能にするためである。
【００２１】
即ち、ブラジャーを着用した着用者が激しい運動を行った際には、着用者の乳房は主に上下に大きく揺れようとするが、バストパッドを収容部内に固定しない場合には、乳房が収容部内のバストパッドを押し上げたり押し下げたりして、バストパッドが収容部内において上方側あるいは下方側に移動する可能性が高い。特に、重力との関係で乳房は最終的に下垂するため、バストパッドは収容部内の下方側に移動する傾向が強い。そのため、何ら対策を施さないと、バストパッドは収容部の下方側にずれたままになってしまう上、最悪収容部内の下端側で折れ曲ってしまう可能性がある。
そうすると、バストパッドが全く機能せずに着用者の乳房を一定の位置に保持することができなくなるため、運動中においては着用者の乳房が揺れを抑えることができず、胸の痛みを生じさせることとなる。
したがって、バストパッドを着用者の乳房の大きな揺れを抑止のために機能させるには、バストパッドが収容部内において下方側に移動することを防止する必要がある。
【００２２】
また、乳房が上下に揺れる場合には、乳房の上方への移動をできるだけ抑止することにより、乳房の大きな揺れを抑えることができると考えられる。
その場合には、バストパッドで乳房を上方側から押さえ付けて、揺れに伴う乳房の上昇を可及的に抑止することが最も効果的であるが、その際には、バストパッドを乳房の上方側に常時フィットさせて乳房の上昇を制限させることが肝要である。
【００２３】
一方、バストパッドの下方側に位置する縁部分まで胸部被覆部に完全に固定してしまうと、乳房の大きさとバストパッドの大きさやふくらみ具合とを相互に適合させなければ、着用者の乳房を一定の位置に保持することが難しくなる。上述のように、乳房の揺れは、揺れに伴う乳房の上昇を抑えることができれば効果的に抑えることができると考えられるため、バストパッドの下方側に位置する縁部分までも胸部被覆部に固定する必要はなく、却って、適用できる着用者の乳房の大きさの範囲を狭めてしまい、汎用性が乏しくなってしまうという結果となる。
そのため、バストパッドの下方側に位置する縁部分については、着用者の乳房の大きさによって自由に動くことができるようにする方が好ましい。
【００２４】
以上のことに鑑み、本考案においては、前記各バストパッドにおける上方側に位置する縁部分のみを前記胸部被覆部にそれぞれ固定した構成として、バストパッドによる着用者の乳房の安定的な保持を図ることにより、乳房の大きな揺れを効果的に抑止すると共に、着用者の乳房の大小に応じてバストパッドを乳房にフィットさせて、適用範囲を広く確保することができるようにしている。
【００２５】
上記構成を有するブラジャー１は、一般的なブラジャーと同様に着用するが、前記胸部被覆部２の裏面側に配設されている一対のバストパッド５，５が、各バストパッド５，５の上方側に位置する縁部分５ａのみを前記胸部被覆部２に固定させた構成となっているため、着用者が激しい運動をしてもバストパッド５，５の位置が、着用者の乳房の位置から下方側にずれることがない。また、乳房が揺れて上昇しようとする場合には、各バストパッド５，５が乳房を適度に押さえ付けるため、乳房の大きな揺れを抑止することが可能となる。
これにより、着用者の乳房を安定的に一定の位置に保持することができるため、運動時における着用者の乳房の大きな揺れを安定的に抑止することができ、胸の痛みを発生させることを抑えることができる。
【００２６】
さらに、各バストパッド５，５は、上方側に位置する縁部分５ａのみが前記胸部被覆部２に固定されているため、胸部被覆部２に対して、下方側に位置する縁部分５ｂ側がある程度の範囲で移動することが可能であり、これにより、着用者の乳房の大小に対応してバストパッド５，５が移動して乳房にフィットするため、適用することができる着用者の乳房の大きさの範囲を広く確保することできる。
【００２７】
また、各バストパッド５，５を前記胸部被覆部２に固定させているため、ブラジャー１を洗濯したとしても、各バストパッド５，５はブラジャー１から脱落することがないという利点がある。
【００２８】
前記実施の形態においては、前記胸部被覆部２が、外方に露出する表布部材１１と、その表布部材１１の裏面側に配設された裏布部材１２とを有する構成となっているが、この胸部被覆部については、着用者の胸部を被覆することができればどのような構成であってもよく、例えば、裏布部材を有さない構成であってもよい。
また、前記バストパッドは、胸部被覆部の裏面側に固定されていればよく、例えば裏布部材がない場合は、前記バストパッドは、表布部材の裏面側に直接固定させることができる。
【００２９】
さらに、前記実施の形態においては、裏布部材１２が、中空状の一対の収容部１６，１６を有していて、これらの各収容部１６，１６内にバストパッド５，５をそれぞれ収容させているが、この裏布部材は必ずしも収容部を備えている必要はなく、裏布部材の裏面側にバストパッドを直接固定させてもよい。
なお、前記実施の形態では、前記バストパッド５が第２布片１９に固定されているが、バストパッドは第１布片側に固定されていてもよい。
【００３０】
前記実施の形態においては、前記各バストパッド５，５は、上方側に位置する縁部分５ａが上方に凸となるように湾曲していると共に、下方側に位置する縁部分５ｂが下方に凸となるように湾曲した形状に形成されているが、このバストパッドの形状については任意の形状とすることができる。
なお、前記バストパッドの形状としては、例えば、正面視略三角形状とすることができ、この場合は、胸部被覆部への取付位置（取付ける際のバストパッドの方向）にもよるが、底辺に位置する縁部分を除いた２辺の縁部分を固定すればよい。
また、正面視円形状、あるいは正面視楕円形状であってもよく、いずれの場合も、端面が略上方向である縁部分（したがって、正面視略円形である場合は上半の周縁部分）を胸部被覆部に固定すればよい。
【００３１】
また、前記実施の形態においては、前記バストパッド５，５は、上方側に位置する縁部分５ａが、その上方側に位置する縁部分５ａに沿って前記胸部被覆部２、さらに具体的には第２布片１９に縫い付けられているが、このバストパッドは、上方側に位置する縁部分が胸部被覆部に固定されれば、必ずしも上方側に位置する縁部分に沿って縫い付ける必要はない。
さらに、バストパッドの胸部被覆部への固定については、必ずしも縫い付けである必要はなく、確実に固定することができれば各種接着剤による接着等、任意の手段を用いることができる。
【００３２】
なお、前記実施の形態においては、ブラジャーとしてスポーツブラ（スポーツ用ブラジャー）の例を述べているが、本考案のブラジャーは、スポーツ用以外のものであってもよい。
また、前記胸部被覆部や背面部、肩部の形状についても、任意の形状とすることができる。
【符号の説明】
【００３３】
１    ブラジャー
２    胸部被覆部
３    背面部
４    肩部
５    バストパッド
５ａ    上方側に位置する縁部分
５ｂ    下方側に位置する縁部分
１１    表布部材
１２    裏布部材
１６    収容部
【図１】
0003186389.tif 000003
【図２】
0003186389.tif 000004
【図３】
0003186389.tif 000005
【図４】
0003186389.tif 000006
【手続補正書】
【提出日】平成25年8月20日(2013.8.20)
【手続補正１】
【補正対象書類名】明細書
【補正対象項目名】０００８
【補正方法】変更
【補正の内容】
【０００８】
本考案においては、前記胸部被覆部は、外方に露出する表布部材と、前記表布部材の裏面側に配設された裏布部材とを有していて、前記バストパッドは前記裏布部材に固定されているものとすることができる。
この場合、前記胸部被覆部の裏布部材は、着用者の左右の乳房に対応する位置にそれぞれ設けられて、内部に前記バストッドがそれぞれ収容される中空状の一対の収容部を備えていて、前記バストパッドは、前記収容部内に収容された状態で、上方側に位置する縁部分がその収容部の内周面に固定されているものとすることが好ましい。
さらに、前記一対の収容部は、表布部材側に位置する第１布片と、着用者側に位置する第２布片とを備えていると共に、前記バストパッドは、これらの第１布片と第２布片との間の中空状の空間内に収容されていて、上方側に位置する縁部分が前記第２布片に固定されているものとすることができる。
【手続補正２】
【補正対象書類名】実用新案登録請求の範囲
【補正対象項目名】請求項４
【補正方法】変更
【補正の内容】
【請求項４】
前記一対の収容部は、表布部材側に位置する第１布片と、着用者側に位置する第２布片とを備えていると共に、前記バストパッドは、これらの第１布片と第２布片との間の中空状の空間内に収容されていて、上方側に位置する縁部分が前記第２布片に固定されている、請求項３に記載のブラジャー。